(57)【特許請求の範囲】
【請求項１】
窓開口部５を具備し、該窓開口部５内に障子３を配置させる集合住宅において、前記窓開口部５の一方の窓金属縦枠２ａに隣接させ且つ方立６を介して換気装置１０を設け、該換気装置１０には室内外に連通する換気孔２０を形成してあり、換気孔２０は、室内側に開口する室内側開口部２０ａと室外側に開口する室外側開口部２０ｂとを有し、換気孔２０の内部には、換気孔２０内を流れる換気流の風圧により、室内外方向に水平移動自在で且つ室内側開口部２０ａ又は室外側開口部２０ｂを閉鎖自在な自動調整部材１６が設けてあり、前記換気孔２０上部に空調部材取付部１２を設け、更に、上記窓金属縦枠２ａにはその室内側に、且つ、上記換気装置１０を支持する換気部縦枠１１ａにはその室内側に、それぞれ窓木質縦枠２ｂ及び換気部木質縦枠１１ｂを一体的に設け、両木質枠２，１１ｂを上記方立６の室内側位置で連結することを特徴とする集合住宅用換気装置。
【発明の詳細な説明】
【０００１】
【発明の属する技術分野】
本発明は、マンション等の窓開口部側部に配置される集合住宅用換気装置に関する。
【０００２】
【従来の技術】
従来、集合住宅内部の換気に当っては、集合住宅外壁に形成される開口部窓枠に開閉自在の障子を配置し、この障子を開閉することによって行なっている。
戸建て住宅等の一般住宅においては、窓開口部の一部にウインドファンを設けて、障子を閉めたままウインドファンから外気を取り入れる手段について既に提案されている。
しかしながら、このウインドファンを集合住宅に取り付ける場合には、種々の機材・工具が必要であるばかりでなく、一旦取り付けた後は取外しに手数がかかることから、特に高階の室においては、室外作業が困難であることから固定したままにしておくことが多く、そのために、障子の開閉幅が狭くなり窓の使い勝手が悪くなるという問題がある。しかも、このウインドファンをつけると、左右の窓が交差状態で半開き状態となるため、窓の機密性が低下するという不具合もあった。
【０００３】
【発明が解決しようとする課題】
したがって、本発明は、上記従来技術の問題点等を解消するために、窓開口部の障子を完全に閉めたまま、室内の換気等ができる集合住宅用換気装置を提供することにある。
そして、更に、この換気装置によって室外の風圧に拘わらず、常に一定量の換気がなされ、また、前記換気装置に加えて空調装置を付加することで、自然換気と暖冷房との選択的又は同時的な組合わせができるようにするものである。
【０００４】
【課題を解決するための手段】
本発明は、窓開口部５を具備し、該窓開口部５内に障子３を配置させる集合住宅において、前記窓開口部５の一方の窓金属縦枠２ａに隣接させ且つ方立６を介して換気装置１０を設け、該換気装置１０には室内外に連通する換気孔２０を形成してあり、換気孔２０は、室内側に開口する室内側開口部２０ａと室外側に開口する室外側開口部２０ｂとを有し、換気孔２０の内部には、換気孔２０内を流れる換気流の風圧により、室内外方向に水平移動自在で且つ室内側開口部２０ａ又は室外側開口部２０ｂを閉鎖自在な自動調整部材１６が設けてあり、前記換気孔２０上部に空調部材取付部１２を設け、更に、上記窓金属縦枠２ａにはその室内側に、且つ、上記換気装置１０を支持する換気部縦枠１１ａにはその室内側に、それぞれ窓木質縦枠２ｂ及び換気部木質縦枠１１ｂを一体的に設け、両木質枠２，１１ｂを上記方立６の室内側位置で連結することを特徴とする。
【０００６】
【発明の実施の形態】
以下、本発明の実施例について説明する。
図２は、本発明の前提となる集合住宅において、基本的な窓枠２及び換気装置１０の配置を示している。
【０００７】
（換気枠１１）図２に示すように、窓枠２の側部に、換気装置１０の換気枠１１が上下に長く配置され、該換気枠１１には上下に長い換気スリット２０が形成されている。換気枠１１の上方部には、空調部材取付部１２が形成されると共に、その下部の１／３の長さに亘って閉止部１３が形成されている。
上方の空調部材取付部１２は、空調機で調整された空気の通路、或いはクーラー等の給排気管を挿通させる部分である。また、閉止部１３は、換気スリット２０の長さがそれほど必要のない場合に形成されるものであり、この長さは集合住宅の外気の状況、例えば平均風速や気温の程度によって、或いは需要者のニーズによって形成されるものである。
【０００８】
（換気装置１０）次に、本発明の基本構造である換気装置１０について、図３ないし図６を用いて説明する。
図３は、窓開口部５及び換気装置１０を含む水平断面図であり、窓開口部５には窓枠２が配置される。該窓枠２の縦部の構成要素として窓縦枠２ａ，２ａが形成され、該窓縦枠２ａは、躯体１側に設けられた方立６等に支持されている。また、窓枠２内には、左右に開閉可能な障子３，３が配置される。上記方立６及び躯体７には、窓枠２に隣接させて換気枠１１が配置される。そして、換気枠１１の縦部の構成要素として、図２に示すように、方立６等に支持される換気部縦枠１１ａ、１１ａが形成されている。したがって、窓開口部５側の換気部縦枠１１ａは、図３に示すように、方立６を介して窓縦枠２ａと連結されることになる。
【０００９】
（ウィスコン羽根１６）換気部縦枠１１ａ，１１ａ間には、特に図６に示すように、上下に亘って室内外方向に断熱枠部１４，１４が配置され、この断熱枠部１４，１４間に形成された換気スリット２０内には、ウィスコン羽根１６が羽根支持部１５によって室内外方向に移動可能に配置されている。なお、羽根支持部１５は、断熱枠部１４，１４に保持されている。
該ウィスコン羽根１６は、図２，５において左側の室外から右側の室内に風が強く吹き込む時には、ウィスコン羽根１６は右に移動してその風量を減少させるように作動する。また、室内の空気圧が高まると、図２において左側に移動し、その室内から室外に流れ出る風量を調整するように作用するものである。
【００１０】
（外板１７）換気スリット２０の室内側には、図３，５に示すように、躯体１の外壁と面一の位置に沿って外板１７が換気枠縦枠１１ａ，１１ａに支持されて配置されている。この外板１７と換気部縦枠１１ａ，１１ａとの間には上下にスリット状の開口部が形成されており、この開口部を通じてウィスコン羽根１６が位置する通風路内に外気が導入、或いは内気が排出されることになる。
【００１１】
（開閉蓋１８）上記断熱枠部１４，１４間に形成された換気スリット２０（通風路）の室内側には、開閉蓋１８が換気部縦枠１１ａ，１１ａに対して遠近位置変更可能に配置されている。この開閉蓋１８の両側には、図３〜５に示すように、シール材１８ａ，１８ａが付設されている。従って、この開閉蓋１８を把手１８ｂを用いて移動させることにより換気スリット２０を開閉することが可能である。図５（ｂ）は開閉蓋１８を閉止した状態を示している。また、図５（ａ）は開閉蓋を開けた状態を示す斜視図であって、矢印に示すような空気の流れが実現することになる。
また、ウィスコン羽根１６の左右動は、図６に示されるように、水平に室内外方向に風力に応じて移動するようになっている。そして、その移動が室内端、あるいは室外端に達した時、ウィスコン羽根１６が換気スリット２０を閉止することになる。
【００１２】
（通気孔２１）本実施例について付随的に説明すれば、図１に示すように、換気スリット２０の上端部に空調部材取付部１２を設ける位置には、通気孔２１が形成される。この通気孔２１は、図３に示すように、水平方向には一定幅を有するもので、ほぼ正方形状に形成される。この通気孔２１中に空調機の空調機通気管２２を配置するが、この通気孔２１は、単に空調用の空気を流通させる風路としても良い。
【００１３】
（木質縦枠２ｂ，１１ｂの連結）更に、上記窓金属縦枠２ａの室内側に、及び、上記換気装置１０を支持する換気部縦枠１１ａの室内側に、それぞれ窓木質縦枠２ｂ及び換気部木質縦枠１１ｂを一体的に設け、両木質枠２，１１ｂを上記方立６の室内側位置で木質繋ぎ縦枠２ｃを介して連結する。
この構成により、方立６を室内側から遮蔽する別途手段を必要としないばかりでなく、換気部木質縦枠１１ｂが窓金属縦枠２ａに支持されるから換気装置１０全体の支持が容易となり、更に、室内側は木質材のみで構成されることから、室外側に面する窓金属縦枠２ａ及び換気部縦枠１１ａの温度が室内に伝わることがなく断熱されて、室内の温度管理上好ましい。
なお、上記実施例のように、木質繋ぎ縦枠２ｃは必ずしも必要でなく、窓木質縦枠２ｂ、換気部木質縦枠１１ｂ及び木質繋ぎ縦枠２ｃを一体物として、或いは施工前状態において適宜一体物として形成してもよい。
【００１４】
（実施例の作用）次に、本実施例の作用について説明する。
本実施例による換気装置１０によれば、窓開口部５の障子３，３の開閉に拘わらず、室内の換気をすることができる。図９（Ａ）に示すように、室外の空気は、室内に換気スリット２０を通じて矢印に示すように流れ込む。また、室内の空気は、図９（Ｂ）に示すように、開閉蓋１８を通過し、且つウィスコン羽根１６を越えて室外に空気を排出することになる。これらの空気の移動はウィスコン羽根１６の水平移動によって制御され、空気流の速度が一定範囲に制御される。また、これらの空気の移動経路の壁部は、断熱枠部１４，１４が形成させているので、流出入する空気流は断熱枠部１４，１４に熱が奪われるようなことはない。
【００１５】
（実施例の効果）以上のように本実施例によれば、集合住宅において、窓開口部の障子３，３開閉に拘わらず、窓枠の横側方に換気装置１０を配置したから、特に窓を締めきった状態でも室内の換気が充分に行なわれる。また、換気スリット２０内には、ウィスコン羽根（自動調整部材）１６を配置したことによって、換気量を一定範囲量におさめることができる。
更に、換気スリット２０の上方には、空調部材取付部１２を取り付けたので、冷暖房と自然換気との併用も可能となる。また、この換気スリット２０の下部には、閉止部１３を形成することによってその換気量を自由に設定することができる。
【００１６】
更に、窓木質縦枠２ｂ及び換気部木質縦枠１１ｂを一体的に設け、両木質枠２，１１ｂを上記方立６の室内側位置で木質繋ぎ縦枠２ｃを介して連結したから、方立６を室内側から遮蔽する別途手段を必要としないばかりでなく、換気部木質縦枠１１ｂが窓金属縦枠２ａに支持されるから換気装置１０全体の支持が容易となり、更に、室内側は木質材のみで構成されることから、室外側に面する窓金属縦枠２ａ及び換気部縦枠１１ａの温度が室内に伝わることがなく断熱されて、室内の温度管理上好ましい。
なお、特許請求の範囲の項には実施例との対応関係を明瞭にするために図面符合を付したが、本発明はこれに限るものではない。
【００１７】
【発明の効果】
本発明は、上記構成により、下記の効果を奏する。
請求項１記載の発明によれば、窓開口部の障子の開閉に拘わらず換気可能で、換気装置には、室内外に連通する換気孔を形成し、換気孔は、室内側に開口する室内側開口部と室外側に開口する室外側開口部とを有しており、換気孔の内部には、換気孔内を流れる換気流の風圧により、室内外方向に水平移動自在で且つ室内側開口部又は室外側開口部を閉鎖自在な自動調整部材が設けてあることで、室内に風が強く吹き込むときや、あるいは室内気圧が高まったときに、換気流の風圧で自動調整部材が換気孔の室内側開口部又は室外側開口部を閉鎖自在な状態で室内外方向に水平移動し、その風量を減少させるように作動するので、これにより室外の空気流に拘わらず換気量を一定とすることができる。また、一つの自動調整部材で風量を調整できるので、換気装置を簡単な構造で小型化できる。更に、前記窓開口部の一方の窓縦枠に隣接させ且つ方立を介して換気装置を設けることで、従来の窓開口部に付加的に又は後付けで本発明装置を採用することができる。また、上記換気孔上部には、空調部材取付部を設けたことで、自然換気と暖冷房とを選択的又は同時的に組合わせが可能となる。
【００１８】
また、窓金属縦枠の室内側及び上記換気装置を支持する換気部縦枠の室内側には、それぞれ窓木質縦枠及び換気部木質縦枠を一体的に設け、両木質枠を上記方立の室内側位置で連結したから、方立を室内側から遮蔽する別途手段を必要としないばかりでなく、換気部木質縦枠が窓金属縦枠に支持されるから換気装置全体の支持が容易且つ安定し、更に、室内側は木質材のみで構成されることから、室外側に面する窓金属縦枠及び換気部縦枠の温度が室内に伝わることがなく断熱されるから、室内の温度管理上好ましい。
【００１９】
２．請求項２記載の発明によれば、請求項１記載の効果に加えて、換気スリットに防虫網及びスリット開閉蓋を付設することで、室内への小動物の侵入を防ぐことができ、更には、スリット開閉蓋を適宜閉止することで、換気を任意に停止することも可能である。
【図面の簡単な説明】
【図１】本発明に係る実施例の正面図。
【図２】実施例の基本構成を示す斜視図。
【図３】図１のＡ−Ａ線の（水平）断面図。
【図４】図１のＢ−Ｂ線の（鉛直）平断面図。
【図５】同実施例の要部斜視図。
【図６】同実施例の部分斜視図。
【図７】図１のＣ−Ｃ線の（鉛直）平断面図。
【図８】図１のＤ−Ｄ線の（水平）断面図。
【図９】（Ａ）（Ｂ）共、同実施例の作用説明図。
【符号の説明】
１・・・躯体
２・・・窓枠
２ａ・・・窓金属縦枠
２ｂ・・・窓木質縦枠
２ｃ・・・木質繋ぎ縦枠
３・・・障子
４・・・断熱部
５・・・窓開口部
６・・・方立
１０・・換気装置
１１・・換気枠
１１ａ・・換気部縦枠
１１ｂ・・換気部木質縦枠
１２・・空調部材取付部
１３・・閉止部
１４・・断熱枠部
１５・・羽根支持部
１６・・ウィスコン羽根（自動調整部材）
１７・・外板
１８・・開閉蓋
１８ａ・・シール材
１８ｂ・・把手
１９・・網戸
２０・・換気孔（換気スリット）
２０ａ  室内側開口部
２０ｂ  室外側開口部
２１・・通気孔
２２・・空調機通気管
【図１】
0004096460.tif 000002
【図２】
0004096460.tif 000003
【図３】
0004096460.tif 000004
【図４】
0004096460.tif 000005
【図５】
0004096460.tif 000006
【図６】
0004096460.tif 000007
【図７】
0004096460.tif 000008
【図８】
0004096460.tif 000009
【図９】
0004096460.tif 000010